(57)【要約】【課題】ユーザに応じたコンテンツを適切にユーザに提供可能にすること。【解決手段】本願に係る表示プログラムは、表示手順をコンピュータに実行させ、複数の動画コンテンツを視聴可能なアプリケーションにおける動画コンテンツをディスプレイに表示する。表示手順は、ユーザに関する情報に基づいて複数の動画コンテンツから選択される対象動画コンテンツを、ディスプレイに全画面表示で再生する。【選択図】図１
2019022124.tif 000002
【特許請求の範囲】
【請求項１】
コンピュータにより実行され、複数の動画コンテンツを視聴可能なアプリケーションにおける動画コンテンツをディスプレイに表示する表示プログラムであって、
ユーザに関する情報に基づいて前記複数の動画コンテンツから選択される対象動画コンテンツを、前記ディスプレイに全画面表示で再生する表示手順、
をコンピュータに実行させることを特徴とする表示プログラム。
【請求項２】
前記表示手順は、
前記アプリケーションが起動されるタイミングで、前記ディスプレイにおける対象動画コンテンツを全画面表示で再生を開始する
ことを特徴とする請求項１に記載の表示プログラム。
【請求項３】
前記表示手順は、
前記アプリケーションにログインしているユーザであるログインユーザの有無に応じた異なる基準で選択される対象動画コンテンツを、前記ディスプレイに全画面表示する
ことを特徴とする請求項１または請求項２に記載の表示プログラム。
【請求項４】
前記表示手順は、
前記ログインユーザがいる場合、前記ログインユーザに関する情報に基づいて選択される対象動画コンテンツを、前記ディスプレイに全画面表示する
ことを特徴とする請求項３に記載の表示プログラム。
【請求項５】
前記表示手順は、
前記ログインユーザの動画コンテンツの視聴履歴に基づいて選択される対象動画コンテンツを、前記ディスプレイに全画面表示する
ことを特徴とする請求項４に記載の表示プログラム。
【請求項６】
前記表示手順は、
前記ログインユーザの属性情報に基づいて選択される対象動画コンテンツを、前記ディスプレイに全画面表示する
ことを特徴とする請求項４または請求項５に記載の表示プログラム。
【請求項７】
前記表示手順は、
前記ログインユーザがいない場合、前記アプリケーションにおける動画コンテンツの推奨に関する基準に基づいて選択される対象動画コンテンツを、前記ディスプレイに全画面表示する
ことを特徴とする請求項３〜６のいずれか１項に記載の表示プログラム。
【請求項８】
前記表示手順は、
前記対象動画コンテンツを含む複数の動画コンテンツの各々に対応する複数のサムネイルを前記対象動画コンテンツに重畳表示させる
ことを特徴とする請求項１〜７のいずれか１項に記載の表示プログラム。
【請求項９】
前記表示手順は、
前記複数のサムネイルの表示後、ユーザ操作が無い期間が所定の期間に達した場合、前記複数のサムネイルを非表示にする
ことを特徴とする請求項８に記載の表示プログラム。
【請求項１０】
前記表示手順は、
前記対象動画コンテンツの視聴を指定するユーザ操作が受け付けられた場合、前記複数のサムネイルを非表示にする
ことを特徴とする請求項８または請求項９に記載の表示プログラム。
【請求項１１】
前記表示手順は、
前記複数のサムネイルを所定の方向に並べて一覧表示する
ことを特徴とする請求項８〜１０のいずれか１項に記載の表示プログラム。
【請求項１２】
前記表示手順は、
ユーザ操作に応じて前記所定の方向の位置を変動可能に、前記複数のサムネイルを一覧表示する
ことを特徴とする請求項１１に記載の表示プログラム。
【請求項１３】
前記表示手順は、
前記複数のサムネイルを前記ディスプレイの一端辺に沿わせて、前記対象動画コンテンツに重畳表示させる
ことを特徴とする請求項１１または請求項１２に記載の表示プログラム。
【請求項１４】
前記表示手順は、
前記複数のサムネイルを前記一端辺から所定の間隔を空けて、前記対象動画コンテンツに重畳表示させる
ことを特徴とする請求項１３に記載の表示プログラム。
【請求項１５】
前記表示手順は、
前記複数のサムネイルを前記所定の方向に沿う前記一端辺に沿わせて、前記対象動画コンテンツに重畳表示させる
ことを特徴とする請求項１３または請求項１４に記載の表示プログラム。
【請求項１６】
前記表示手順は、
前記複数のサムネイルを前記ディスプレイの下端辺に沿わせて、前記対象動画コンテンツに重畳表示させる
ことを特徴とする請求項１３〜１５のいずれか１項に記載の表示プログラム。
【請求項１７】
コンピュータにより実行され、複数の動画コンテンツを視聴可能なアプリケーションにおける動画コンテンツをディスプレイに表示する表示方法であって、
ユーザに関する情報に基づいて前記複数の動画コンテンツから選択される対象動画コンテンツを、前記ディスプレイに全画面表示で再生する表示工程、
を含むことを特徴とする表示方法。
【請求項１８】
複数の動画コンテンツを視聴可能なアプリケーションにおける動画コンテンツをディスプレイに表示する表示装置であって、
ユーザに関する情報に基づいて前記複数の動画コンテンツから選択される対象動画コンテンツを、前記ディスプレイに全画面表示で再生する表示部、
を備えることを特徴とする表示装置。
【発明の詳細な説明】
【技術分野】
【０００１】
本発明は、表示プログラム、表示方法、及び表示装置に関する。
【背景技術】
【０００２】
従来、動画コンテンツ（以下、単に「動画」ともいう）を提供する技術が提供されている。例えば、インターネットに接続されたクライアント端末に動画のストリーミングデータを配信する動画配信システムする技術が提供されている。
【先行技術文献】
【特許文献】
【０００３】
【特許文献１】特開２０１６−１９２７４３号公報
【発明の概要】
【発明が解決しようとする課題】
【０００４】
しかしながら、上記の従来技術では、ユーザに応じたコンテンツを適切にユーザに提供可能にすることが難しい場合がある。例えば、動画を表示（再生）するアプリケーション（以下、単に「アプリ」ともいう）が起動された場合、再生ボタン等を押下する等のユーザ操作に応じて、動画の再生等の表示を開始する。このような場合、ユーザ操作が動作を選択すること等が必要となり、ユーザに応じたコンテンツを適切にユーザに提供可能にすることは難しい。
【０００５】
本願は、上記に鑑みてなされたものであって、ユーザに応じたコンテンツを適切にユーザに提供可能にする表示プログラム、表示方法、及び表示装置を提供することを目的とする。
【課題を解決するための手段】
【０００６】
本願に係る表示プログラムは、コンピュータにより実行され、複数の動画コンテンツを視聴可能なアプリケーションにおける動画コンテンツをディスプレイに表示する表示プログラムであって、ユーザに関する情報に基づいて前記複数の動画コンテンツから選択される対象動画コンテンツを、前記ディスプレイに全画面表示で再生する表示手順をコンピュータに実行させることを特徴とする。
【発明の効果】
【０００７】
実施形態の一態様によれば、ユーザに応じたコンテンツを適切にユーザに提供可能にすることができるという効果を奏する。
【図面の簡単な説明】
【０００８】
【図１】図１は、実施形態に係る表示処理の一例を示す図である。
【図２】図２は、実施形態に係る表示システムの構成例を示す図である。
【図３】図３は、実施形態に係る表示装置の構成例を示す図である。
【図４】図４は、実施形態に係るアプリ情報記憶部の一例を示す図である。
【図５】図５は、実施形態に係るユーザ情報記憶部の一例を示す図である。
【図６】図６は、実施形態に係る行動情報記憶部の一例を示す図である。
【図７】図７は、実施形態に係る表示処理の一例を示すフローチャートである。
【図８】図８は、アプリ情報記憶部の一例を示す図である。
【図９】図９は、ディスプレイの表示の一例を示す図である。
【図１０】図１０は、ディスプレイの表示の変更の一例を示す図である。
【図１１】図１１は、ディスプレイの表示の変更の一例を示す図である。
【図１２】図１２は、表示装置の機能を実現するコンピュータの一例を示すハードウェア構成図である。
【発明を実施するための形態】
【０００９】
以下に、本願に係る表示プログラム、表示方法、及び表示装置を実施するための形態（以下、「実施形態」と呼ぶ）について図面を参照しつつ詳細に説明する。なお、この実施形態により本願に係る表示プログラム、表示方法、及び表示装置が限定されるものではない。また、以下の各実施形態において同一の部位には同一の符号を付し、重複する説明は省略される。
【００１０】
（実施形態）
〔１．表示処理〕
まず、図１を用いて、実施形態に係る表示処理の一例について説明する。図１は、実施形態に係る表示処理の一例を示す図である。図１では、表示装置１０にサービス提供装置５０（図２参照）が提供する動画提供サービスを利用するためのアプリ（以下、「動画アプリＡ」ともいう）がインストール済みであるものとする。図１の例では、表示装置１０にインストールされた動画アプリＡにユーザＩＤ「Ｕ１」により識別されるユーザ（以下、「ユーザＵ１」とする場合がある）がログインしている場合を示す。
【００１１】
また、図１では、表示装置１０は、動画アプリＡが起動された場合に、複数の動画からユーザＵ１に対応して選択される動画を全画面再生する場合を示す。以下では、所定の基準に基づいて、複数の動画から選択される動画を「対象動画」とする場合がある。例えば、表示装置１０は、サービス提供装置５０による動画提供サービスにおいて提供（配信）される動画に関する情報をユーザに提供する。以下、図１を用いて、表示処理の一例を説明する。
【００１２】
まず、図１の例では、表示装置１０は、動画アプリＡを起動する（ステップＳ１１）。例えば、表示装置１０は、ユーザＵ１の操作に応じて動画アプリＡを起動する。そして、表示装置１０は、動画アプリＡの起動に応じて、対象動画を選択する（ステップＳ１２）。図１の例では、ログイン情報ＬＵに示すように、表示装置１０において起動された動画アプリＡには、ユーザＵ１がログイン中であるため、表示装置１０は、ユーザＵ１に関する情報に基づいて、対象動画を選択する。なお、以下では、説明を簡単にするために、対象動画の選択等の処理を表示装置１０が行う場合を示すが、対象動画の選択等は、サービス提供装置５０により行われてもよい。この場合、表示装置１０は、サービス提供装置５０により選択された対象動画を示す情報をサービス提供装置５０から取得し、取得した情報に基づいて、デバイスＤＶのディスプレイＤＰに対象動画を全画面再生したり、種々の情報を表示させたりする。
【００１３】
例えば、表示装置１０は、ログインユーザがいる場合、ログインユーザに関する情報に基づいて対象動画を選択する。図１の例では、表示装置１０は、ログインユーザであるユーザＵ１の動画の視聴履歴に基づいて、対象動画を選択する。例えば、表示装置１０は、ログインユーザであるユーザＵ１の動画の視聴履歴から推定されるユーザＵ１の嗜好（興味・関心）に基づいて、対象動画を選択する。例えば、表示装置１０は、ユーザＵ１が最も多く視聴しているジャンルの動画を、対象動画として選択してもよい。例えば、表示装置１０は、ユーザＵ１の情報に基づいて順位付け（ランキング）された動画のうち、最も順位が高い動画を、対象動画として選択してもよい。
【００１４】
例えば、表示装置１０は、図４中のアプリ情報記憶部１４１に示すような動画ＭＶ１１〜ＭＶ１５等から、ディスプレイＤＰに全画面表示で再生する対象動画を選択する。なお、上述のように、「動画ＭＶ＊（＊は任意の数値）」と記載した場合、その動画は動画ＩＤ「ＭＶ＊」により識別される動画であることを示す。例えば、「動画ＭＶ１１」と記載した場合、その動画は動画ＩＤ「ＭＶ１１」により識別される動画である。例えば、表示装置１０は、動画ＭＶ１１〜ＭＶ１５を含む多数（例えば１００万等）の動画からディスプレイＤＰに全画面表示で再生する対象動画を選択する。
【００１５】
図４中のアプリ情報記憶部１４１に示す「動画情報」は、動画アプリで提供される動画に関する各種情報を示す。図４中のアプリ情報記憶部１４１に示す「動画ＩＤ」は、動画コンテンツを識別するための識別情報を示す。「動画」には、動画コンテンツに関する情報が記憶される。「ランキング」は、各動画のランキング（順位）を示す。例えば、「ランキング」は、所定の基準に基づく各動画のランキングを示す。例えば、「ランキング」は、ログインユーザがいる場合、ログインユーザの情報に基づく各動画のランキングを示す。この場合、「ランキング」は、ログインユーザの属性情報や視聴履歴等に基づいて、ログインユーザが興味を示す可能性が高い動画ほど高いランキングが決定される。なお、図１では、動画ＭＶ１１〜ＭＶ１５等から全画面表示する対象動画を選択することについて説明し、アプリ情報記憶部１４１内に記憶される情報の詳細は後述する。
【００１６】
図１の例では、図４中のアプリ情報記憶部１４１に示すように動画ＭＶ１１のランキングが「１」位であるものとする。そのため、表示装置１０は、対象動画として動画ＭＶ１１を選択する。なお、動画のランキングや対象動画の選択についての詳細は後述する。
【００１７】
そして、表示装置１０は、動画ＭＶ１１を全画面表示する（ステップＳ１３）。図１の例では、表示装置１０は、動画ＭＶ１１をディスプレイＤＰに全画面再生する。
【００１８】
また、表示装置１０は、全画面再生中の動画ＭＶ１１に重畳させて複数のサムネイルＴＮ１１〜ＴＮ１４を一覧表示する（ステップＳ１４）。図１の例では、表示装置１０は、図４中のアプリ情報記憶部１４１に示すランキングが「１」〜「４」までの動画ＭＶ１１〜ＭＶ１４の各々に対応するサムネイルＴＮ１１〜ＴＮ１４をディスプレイＤＰに一覧表示する。すなわち、表示装置１０は、ランキングが高い動画から順に対応するサムネイルをディスプレイＤＰに一覧表示する。なお、サムネイルは、動画サムネイルであってもよい。
【００１９】
図１の例では、表示装置１０は、ディスプレイＤＰの下端部側に動画ＭＶ１１に重畳させて横方向にサムネイルＴＮ１１〜ＴＮ１４を並べて一覧表示する。また、表示装置１０は、サムネイルＴＮ１１〜ＴＮ１４をディスプレイＤＰの下端部から所定の間隔を空けて、全画面再生中の動画ＭＶ１１に重畳表示させる。これにより、表示装置１０は、動画ＭＶ１１が全画面表示されていることをユーザが視認可能にしつつ、複数の動画ＭＶ１１〜ＭＶ１４の各々に対応するサムネイルＴＮ１１〜ＴＮ１４をユーザに提供することができる。
【００２０】
上述したように、表示装置１０は、ログインしているユーザの情報に基づいて選択された対象動画を動画アプリＡの起動に応じて、全画面表示させることにより、視聴しているユーザに適した動画を全画面表示させることができる。これにより、表示装置１０は、ユーザが継続して再生を所望する可能性が高い動画をユーザの指定無しで全画面再生させることができるため、ユーザビリティを向上させることができる。したがって、表示装置１０は、ユーザに応じたコンテンツを適切にユーザに提供可能にすることができる。
【００２１】
（１−１．対象動画、ランキング）
図１の例では、ユーザＵ１が視聴した動画のうち、ジャンル「音楽」の動画の割合が「７５％」であり、「映画」の動画の割合が「２５％」である場合、表示装置１０は、最も視聴割合が高いジャンル「音楽」の動画を対象動画として選択してもよい。また、この場合、表示装置１０は、初期表示時に含まれる複数のサムネイルにおける割合が、ジャンル「音楽」が７５％に近くなり、「映画」が「２５％」に近くなるようにランキングを決定してもよい。例えば、表示装置１０は、図１のようにディスプレイＤＰに初期表示される４つのサムネイルのうち、音楽に関するサムネイルが３つ（７５（＝３／４＊１００）％）、映画に関するサムネイルが１つ（２５（＝１／４＊１００）％）となるように、ランキングを決定してもよい。
【００２２】
例えば、表示装置１０は、ログインユーザがいる場合、ログインユーザの属性情報や視聴履歴等に基づいて、ログインユーザが興味を示す可能性が高い動画ほど高いランキングを決定してもよい。例えば、表示装置１０は、ログインユーザの視聴履歴等に基づいて、ログインユーザが興味を示す可能性が高い動画程、高いランキングが決定してもよい。例えば、表示装置１０は、ログインユーザの視聴履歴中のジャンルの割合が多いジャンルの動画程、高いランキングを決定してもよい。例えば、表示装置１０は、ログインユーザの視聴履歴中のジャンルの割合が多いジャンルであって、そのジャンル内の部分ジャンルの割合が高い動画程、高いランキングを決定してもよい。例えば、表示装置１０は、ログインユーザの情報を用いた所定のランキング決定ロジックにより、ログインユーザの情報に基づく各動画のランキングの決定を行ってもよい。また、例えば、表示装置１０は、ログインユーザが属するユーザ属性のユーザに人気のある動画程、高いランキングを決定してもよい。例えば、表示装置１０は、ログインユーザが３０代男性である場合、３０代男性のユーザに人気のある動画程、高いランキングを決定してもよい。
【００２３】
また、例えば、表示装置１０は、ログインユーザがいない場合、動画アプリＡにおける推奨に基づく各動画のランキングを決定してもよい。この場合、表示装置１０は、動画アプリＡにおいて各動画の推奨基準に基づく優先度が高い程、高いランキングを決定してもよい。例えば、表示装置１０は、再生回数が多い等により人気が高いと推定される動画程、高いランキングを決定してもよい。例えば、表示装置１０は、提供開始日時が最新の動画程、高いランキングを決定してもよい。例えば、表示装置１０は、動画アプリＡの提供元に動画の配信元が支払う料金に基づいてランキングを決定してもよい。例えば、表示装置１０は、動画アプリＡの提供元に動画の配信元が支払う料金が多い程、高いランキングを決定してもよい。なお、上記では表示装置１０がランキングの決定を行う場合を示したが、ランキングの決定は、サービス提供装置５０が行ってもよい。
【００２４】
（１−２．サムネイルのフォーカス）
また、図１の例では、サムネイルＴＮ１１が他のサムネイルＴＮ１２〜ＴＮ１４よりも大きく表示されており、サムネイルＴＮ１１にフォーカスされていることを示す。なお、ここでいる「サムネイルにフォーカスされている」とはそのサムネイルがユーザの操作対象として指定されている状態であることを意味する。なお、どのサムネイルがフォーカスされているかを示す表示態様は、サムネイルのサイズを大きくすることに限らず、種々の表示態様により他と異なる表示態様で表示してもよい。例えば、フォーカスされているサムネイルを点滅表示したり、色を変えて表示したりしてもよい。また、フォーカスされているサムネイルが、全画面再生中の動画に対応するサムネイルから他のサムネイルに変更された場合、表示装置１０は、動画の全画面再生を停止してもよい。この場合、表示装置１０は、他のサムネイルに対応する動画の情報を表示してもよい。例えば、表示装置１０は、他のサムネイルに対応する動画のあらすじ等のメタ情報を表示してもよい。また、例えば、表示装置１０は、他のサムネイルに対応する動画の全画面再生を開始してもよい。
【００２５】
（１−３．全画面再生中の動画のサムネイル）
一覧表示された、サムネイル中の全画面再生中の動画に対応するサムネイルを、他のサムネイルとは他と異なる表示態様で表示してもよい。例えば、全画面再生中の動画ＭＶ１１に対応するサムネイルＴＮ１１に「全画面再生中」の文字を重畳表示させることにより、サムネイルＴＮ１１が全画面再生中の動画ＭＶ１１に対応することを示してもよい。なお、どのサムネイルが全画面再生中の動画に対応するかを示す表示態様は、サムネイルに「全画面再生中」の文字を重畳表示させることに限らず、種々の表示態様により他と異なる表示態様で表示してもよい。例えば、全画面再生中の動画に対応するサムネイルを点滅表示したり、色を変えて表示したりしてもよい。
【００２６】
（１−４．表示するサムネイル）
なお、図１の例では、ログインユーザの情報に基づいてランキングされた動画のサムネイルのみを表示する場合を示したが、表示装置１０は、ユーザ情報に基づくサムネイル（「個人向けサムネイル」ともいう）と、動画アプリにおいて推奨される動画のサムネイル（「アプリ推奨サムネイル」ともいう）とを含む複数のサムネイルを一覧表示してもよい。例えば、表示装置１０は、個人向けサムネイルとアプリ推奨サムネイルとの割合を変動させて複数のサムネイルを一覧表示してもよい。
【００２７】
例えば、表示装置１０は、ログインユーザの情報が多い場合、個人向けサムネイルの割合を多くしてもよい。例えば、表示装置１０は、ログインユーザの情報が所定の閾値以上である場合、個人向けサムネイルの割合を５０％よりも多い割合（例えば７５％等）にしてもよい。また、例えば、表示装置１０は、ログインユーザの情報が少ない場合、アプリ推奨サムネイルの割合を多くしてもよい。例えば、表示装置１０は、ログインユーザの情報が所定の閾値未満である場合、アプリ推奨サムネイルの割合を５０％よりも多い割合（例えば８０％等）にしてもよい。
【００２８】
例えば、表示装置１０は、ログインユーザのユーザ情報の量が少ない場合、動画アプリにおいて推奨される動画のサムネイルのみを一覧表示してもよい。また、例えば、表示装置１０は、ログインユーザの視聴履歴の量が少ない場合、ログインユーザの属性情報に基づく動画のサムネイルを一覧表示してもよい。また、例えば、表示装置１０は、ログインユーザが属するユーザ属性のユーザに人気のある動画のサムネイルを一覧表示してもよい。例えば、表示装置１０は、ログインユーザが３０代男性である場合、３０代男性のユーザに人気のある動画のサムネイルを一覧表示してもよい。
【００２９】
（１−５．サムネイルの非表示）
また、表示装置１０は、複数のサムネイルの表示後、ユーザ操作が無い期間が所定の期間に達した場合、複数のサムネイルを非表示にしてもよい。図１の例では、表示装置１０は、複数のサムネイルＴＮ１１〜ＴＮ１４の表示後、ユーザ操作が３分間なかった場合、ユーザＵ１が動画ＭＶ１１を鑑賞している推定として、複数のサムネイルＴＮ１１〜ＴＮ１４を非表示にしてもよい。表示装置１０は、対象動画の視聴を指定するユーザ操作が受け付けられた場合、複数のサムネイルを非表示にしてもよい。図１の例では、表示装置１０は、ユーザが動画ＭＶ１１の視聴を指定した場合、複数のサムネイルＴＮ１１〜ＴＮ１４を非表示にしてもよい。例えば、表示装置１０は、ユーザが動画ＭＶ１１に対応するサムネイルＴＮ１１がフォーカスされている状態でユーザＵ１が視聴を指定するボタン等を押下した場合、複数のサムネイルＴＮ１１〜ＴＮ１４を非表示にしてもよい。なお、表示装置１０は、他のサムネイルＴＮ１２〜ＴＮ１４がフォーカスされている状態でユーザＵ１が視聴を指定するボタン等を押下した場合、指定されたサムネイルに対応する動画の再生を開始し、複数のサムネイルＴＮ１１〜ＴＮ１４を非表示にしてもよい。
【００３０】
（１−６．ユーザの種別に応じた再生）
例えば、表示装置１０は、ログインユーザの動画アプリにおける種別に応じて、全画面表示させる動画を変動させてもよい。例えば、表示装置１０は、ログインユーザの動画アプリにおける会員種別が、課金会員（第１会員）、すなわち有料会員であるか、または、無課金会員（第２会員）であるかに応じて、全画面表示させる動画を変動させてもよい。例えば、表示装置１０は、ログインユーザの動画アプリにおける会員種別が、第１会員である場合、第１会員のみが視聴可能な動画を全画面表示させてもよい。また、例えば、表示装置１０は、ログインユーザの動画アプリにおける会員種別が、第２会員である場合、無料で視聴可能な動画を全画面表示させてもよい。
【００３１】
（１−７．他のサービスの情報を利用した全画面表示）
なお、表示装置１０は、サービス提供装置５０の情報のみに限らず、他のサービスを提供する外部装置からの情報を用いて選択された対象動画を全画面表示してもよい。例えば、表示装置１０は、ユーザの公衆放送（テレビ）の視聴履歴を有する外部装置（テレビ視聴装置）から取得した情報に基づいて選択された対象動画を全画面表示してもよい。例えば、表示装置１０は、テレビ視聴装置から取得した情報に、ログインユーザが連続ドラマ（ドラマＸ）の１〜４話を視聴した履歴が含まれ、既に放送済みのドラマＸの第５話の視聴履歴が含まれない場合、ドラマＸの第５話を全画面表示させてもよい。
【００３２】
〔２．表示システムの構成〕
図２に示すように、表示システム１には、表示装置１０と、サービス提供装置５０とが含まれる。表示装置１０と、サービス提供装置５０とは所定のネットワークＮを介して、有線または無線により通信可能に接続される。図２は、実施形態に係る表示システムの構成例を示す図である。なお、図２に示した表示システム１には、複数台の表示装置１０や、複数台のサービス提供装置５０が含まれてもよい。また、サービス提供装置５０が配信する動画アプリＡにおいて表示される各種情報の提供は、サービス提供装置５０以外の装置が行ってもよい。例えば、表示システム１には、動画アプリＡにおいて表示されるアプリ情報等のコンテンツを配信するウェブサーバが含まれてもよい。この場合、ウェブサーバは、サービス提供装置５０における各種の情報を提供する機能を有してもよい。また、表示システム１には、デバイスＤＶ（図１参照）が含まれてもよい。例えば、デバイスＤＶが表示装置１０との間でネットワークＮを介して情報通信を行う場合、表示システム１には、デバイスＤＶが含まれてもよい。
【００３３】
表示装置１０は、ユーザによって利用される情報処理装置である。例えば、表示装置１０は、複数の動画コンテンツを視聴可能なアプリケーションにおける動画コンテンツをディスプレイに表示する表示装置（コンピュータ）である。
【００３４】
なお、表示装置１０は、ディスプレイ（モニタ）を有する装置であってもよい。例えば、表示装置１０は、スマートフォンや、タブレット型端末や、ノート型ＰＣ（Personal  Computer）や、デスクトップＰＣや、携帯電話機や、ＰＤＡ（Personal  Digital  Assistant）等であってもよい。この場合、表示装置１０は、自装置のディスプレイにおいて動画を表示（再生）してもよい。
【００３５】
サービス提供装置５０は、表示装置１０を利用するユーザに動画提供サービスを提供する情報処理装置である。例えば、サービス提供装置５０は、表示装置１０を利用するユーザに動画アプリＡに関する動画提供サービスを提供する。例えば、サービス提供装置５０は、表示装置１０に動画アプリＡに関する各種情報を提供する。
【００３６】
〔３．表示装置の構成〕
次に、図３を用いて、実施形態に係る表示装置１０の構成について説明する。図３は、実施形態に係る表示装置の構成例を示す図である。図３に示すように、表示装置１０は、通信部１１と、入力部１２と、出力部１３と、記憶部１４と、制御部１５とを有する。
【００３７】
（通信部１１）
通信部１１は、例えば、通信回路等によって実現される。そして、通信部１１は、図示しない所定の通信網と有線または無線で接続され、外部の情報処理装置との間で情報の送受信を行う。例えば、通信部１１は、所定のネットワークＮ（図２参照）と有線または無線で接続され、サービス提供装置５０との間で情報の送受信を行う。
【００３８】
（入力部１２）
入力部１２は、ユーザから各種操作が入力される。例えば、入力部１２は、表示装置１０とは別体のリモコン（リモートコントローラー：remote  controller）等を含んでもよい。例えば、入力部１２は、ユーザ操作に応じたリモコンからの情報を、赤外線通信や所定の無線通信等の種々の方式により、受信してもよい。この場合、例えば、入力部１２は、通信部１１を介して、リモコンを用いたユーザの操作に関する情報を受け付けてもよい。
【００３９】
また、例えば、入力部１２は、タッチパネル機能により表示面（例えばディスプレイＤＰや出力部１３）を介してユーザからの各種操作を受け付けてもよい。また、入力部１２は、表示装置１０に設けられたボタンや、表示装置１０に接続されたキーボードやマウスからの各種操作を受け付けてもよい。
【００４０】
（出力部１３）
出力部１３は、各種情報を表示装置１０外へ出力する。例えば、出力部１３は、所定のケーブル等が接続されるインターフェイスであってもよい。例えば、出力部１３は、ディスプレイＤＰを有するデバイスＤＶに対し、出力対象となる情報を送信するためのインターフェイスであってもよい。例えば、出力部１３は、ＨＤＭＩ（登録商標）（High  Definition  Multimedia  Interface）、ＵＳＢ（Universal  Serial  Bus）やＤＶＩ（Digital  Visual  Interface）といった規格のコネクタにより実現されてもよい。図１の例では、出力部１３は、デバイスＤＶに接続されたＨＤＭＩ（登録商標）ケーブルが接続され、ディスプレイＤＰに再生する動画やディスプレイＤＰに表示するサムネイル等の種々の情報をデバイスＤＶへ送信する。
【００４１】
なお、表示装置１０が、画面を有する場合、出力部１３は、例えば液晶ディスプレイや有機ＥＬ（Electro-Luminescence）ディスプレイ等によって実現されるタブレット端末等の表示画面等の各種情報を表示するための手段であってもよい。
【００４２】
（記憶部１４）
記憶部１４は、例えば、ＲＡＭ（Random  Access  Memory）、フラッシュメモリ（Flash  Memory）等の半導体メモリ素子、または、ハードディスク、光ディスク等の記憶装置によって実現される。記憶部１４は、例えば、表示装置１０にインストールされているアプリケーションに関する情報、例えばプログラム等を記憶する。また、実施形態に係る記憶部１４は、図３に示すように、アプリ情報記憶部１４１と、ユーザ情報記憶部１４２と、行動情報記憶部１４３とを有する。
【００４３】
（アプリ情報記憶部１４１）
実施形態に係るアプリ情報記憶部１４１は、アプリに関する各種情報を記憶する。図４は、実施形態に係るアプリ情報記憶部の一例を示す図である。図４に示すアプリ情報記憶部１４１は、「ログインユーザ」、「動画情報」といった項目を有する。「動画情報」は、「動画ＩＤ」、「動画名」、「ジャンル」、「サムネイル」、「ランキング」といった項目が含まれる。
【００４４】
なお、「動画情報」には上記に限らず、種々の情報が記憶されてもよい。例えば、「ジャンル」の「部分ジャンル」等の階層的なジャンルが記憶されてもよい。例えば、ジャンル「音楽」の部分ジャンルには「ロック」や「ジャズ」等のジャンルを細分化する情報が記憶されてもよい。また、「部分ジャンル」の「第２部分ジャンル」として、具体的なアーティスト名等が記憶されてもよい。例えば、ジャンル「映画」の部分ジャンルには「アクション」や「ＳＦ」等のジャンルを細分化する情報が記憶されてもよい。また、「部分ジャンル」の「第２部分ジャンル」として、具体的な俳優名等が記憶されてもよい。
【００４５】
「ログインユーザ」は、動画アプリＡにログインしているユーザを示す。「動画情報」は、動画アプリＡで提供される動画に関する各種情報を示す。
【００４６】
「動画ＩＤ」は、動画コンテンツを識別するための識別情報を示す。「動画」には、動画コンテンツに関する情報が記憶される。図４では「動画」に「Ａコンテンツ」といった概念的な情報が格納される例を示したが、例えば、表示装置１０（記憶部１４０）内に動画情報を記憶する場合、動画情報、または、その格納場所を示すファイルパス名などが格納される。また、例えば、表示システム１が、ストリーミング方式やプログレッシブダウンロード方式等により、動画配信サービスを提供する場合、「動画」に記憶される情報は、配信される動画に対応するＵＲＬ（Uniform  Resource  Locator）等であってもよい。
【００４７】
「ジャンル」は、動画のジャンルを示す。例えば、「ジャンル」は、動画が属するカテゴリ（分類）を示す。「サムネイル」は、動画コンテンツのサムネイルを示す。図４では「サムネイル」に「ＴＮ１１」といった概念的な情報が格納される例を示したが、実際には、サムネイルの画像情報、または、その格納場所を示すファイルパス名などが格納される。なお、サムネイルは、動画形式のサムネイルであってもよい。
【００４８】
「ランキング」は、各動画のランキング（順位）を示す。例えば、「ランキング」は、所定の基準に基づく各動画のランキングを示す。例えば、「ランキング」は、ログインユーザがいる場合、ログインユーザの情報に基づく各動画のランキングを示す。この場合、「ランキング」は、ログインユーザの属性情報や視聴履歴等に基づいて、ログインユーザが興味を示す可能性が高い動画ほど高いランキングが決定される。
【００４９】
例えば、「ランキング」は、ログインユーザの視聴履歴等に基づいて、ログインユーザが興味を示す可能性が高い動画程、高いランキングが決定される。例えば、「ランキング」は、ログインユーザの視聴履歴中のジャンルの割合が多いジャンルの動画程、高いランキングが決定される。例えば、「ランキング」は、ログインユーザの視聴履歴中のジャンルの割合が多いジャンルであって、そのジャンル内の部分ジャンルの割合が高い動画程、高いランキングが決定される。
【００５０】
なお、ログインユーザの情報に基づく各動画のランキングの決定は、ログインユーザの情報を用いた所定のランキング決定ロジックにより行われてもよい。
【００５１】
また、例えば、「ランキング」は、ログインユーザがいない場合、動画アプリＡにおける推奨に基づく各動画のランキングを示す。この場合、「ランキング」は、動画アプリＡにおいて各動画の推奨基準に基づく優先度が高い程、高いランキングが決定される。例えば、「ランキング」は、再生回数が多い等により人気が高いと推定される動画程、高いランキングが決定される。例えば、「ランキング」は、提供開始日時が最新の動画程、高いランキングが決定される。
【００５２】
例えば、「ランキング」は、動画アプリＡの提供元に動画の配信元が支払う料金に基づいて決定されるランキングであってもよい。例えば、「ランキング」は、動画アプリＡの提供元に動画の配信元が支払う料金が多い程、高いランキングが決定されてもよい。
【００５３】
例えば、図４に示す例において、ログインユーザはユーザＵ１であることを示す。また、動画ＩＤ「ＭＶ１１」により識別される動画（動画ＭＶ１１）は、Ａコンテンツであることを示す。また、動画ＭＶ１１のジャンルは、音楽であることを示す。また、動画ＭＶ１１のサムネイルは、サムネイルＴＮ１１であることを示す。また、動画ＭＶ１１のランキングは、「１」位であることを示す。
【００５４】
なお、アプリ情報記憶部１４１は、上記に限らず、目的に応じて種々の情報を記憶してもよい。例えば、アプリ情報記憶部１４１は、アプリ情報が追加された日時やアプリ情報が作成された日時に関する情報を記憶してもよい。また、アプリ情報記憶部１４１は、第２属性について、上記に限らず、他の情報を記憶してもよい。また、アプリ情報記憶部１４１は、商品の画像や粗利、送料の有無、送料、商品を検索する際に使用されるキーワード、商品の種別等といった各種のアプリ情報を記憶してもよい。
【００５５】
（ユーザ情報記憶部１４２）
実施形態に係るユーザ情報記憶部１４２は、ユーザに関する各種情報を記憶する。例えば、ユーザ情報記憶部１４２は、ユーザ属性に関する各種情報を記憶する。図５は、実施形態に係るユーザ情報記憶部の一例を示す図である。図５に示すユーザ情報記憶部１４２は、「ユーザＩＤ」、「年齢」、「性別」、「居住地」、「関心」といった項目が含まれる。
【００５６】
「ユーザＩＤ」は、ユーザを識別するための識別情報を示す。例えば、ユーザＩＤ「Ｕ１」により識別されるユーザは、図１の例に示したユーザＵ１に対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。
【００５７】
また、「居住地」は、ユーザＩＤにより識別されるユーザの居住する地域を示す。なお、「居住地」は、ユーザＩＤにより識別されるユーザの具体的な住所であってもよい。また、「関心」は、ユーザＩＤにより識別されるユーザが関心のある対象を示す。なお、「関心」は、複数登録されてもよい。
【００５８】
例えば、図５に示す例において、ユーザＩＤ「Ｕ１」により識別されるユーザ（ユーザＵ１）の年齢は、「３０代」であり、性別は、「女性」であることを示す。また、例えば、図５に示す例において、ユーザＵ１は、居住地が「Ａ地域」であり、関心のある対象が「音楽」であることを示す。
【００５９】
なお、ユーザ情報記憶部１４２は、上記に限らず、目的に応じて種々の情報を記憶してもよい。例えば、ユーザ情報記憶部１４２は、年齢や性別に加えて他のデモグラフィック属性情報やサイコグラフィック属性情報を記憶してもよい。例えば、ユーザ情報記憶部１４２は、氏名、勤務地、家族構成、収入、ライフスタイル、コンテキスト等の情報を記憶してもよい。
【００６０】
（行動情報記憶部１４３）
実施形態に係る行動情報記憶部１４３は、行動に関する各種情報を記憶する。図６は、実施形態に係る行動情報記憶部の一例を示す図である。例えば、行動情報記憶部１４３は、ユーザが過去に行った行動に関する情報を記憶する。図６に示す行動情報記憶部１４３には、「ユーザＩＤ」、「行動情報」といった項目が含まれる。
【００６１】
「ユーザＩＤ」は、ユーザを識別するための識別情報を示す。例えば、ユーザＩＤ「Ｕ１」により識別されるユーザは、図１の例に示したユーザＵ１に対応する。また、「行動情報」には、対応するユーザの行動に関する情報を示し、「行動ＩＤ」、「日時」、「内容」といった項目が含まれる。
【００６２】
「行動ＩＤ」は、各行動を識別するための識別情報を示す。「日時」は、対応する行動が行われた日時を示す。なお、図６の例では、「日時」に記憶される情報を「ＤＡ１−１」等の符号で図示するが、「日時」には、「２０１７年７月１２日２３時１６分４３秒」等の具体的な日時が記憶されるものとする。「内容」は、対応するユーザの行動の種別やその行動において対象となった内容等を示す。
【００６３】
例えば、図６に示す例において、ユーザＩＤ「Ｕ１」により識別されるユーザ（ユーザＵ１）は、行動ＩＤ「ＡＣ１−１」により識別される行動や行動ＩＤ「ＡＣ１−２」により識別される行動を行ったことを示す。また、例えば、図６に示す例において、行動ＩＤ「ＡＣ１−１」により識別される行動は、日時「ＤＡ１−１」に行われ、その内容がＹコンテンツの視聴であることを示す。また、例えば、図６に示す例において、行動ＩＤ「ＡＣ１−２」により識別される行動は、日時「ＤＡ１−２」に行われ、その内容がＺコンテンツの視聴であることを示す。
【００６４】
なお、行動情報記憶部１４３は、上記に限らず、目的に応じて種々の情報を記憶してもよい。例えば、行動情報記憶部１４３は、行動が所定の期間継続して行われたものであれば、その期間に関する情報を記憶してもよい。
【００６５】
（制御部１５）
制御部１５は、コントローラ（controller）であり、例えば、ＣＰＵ（Central  Processing  Unit）やＭＰＵ（Micro  Processing  Unit）等によって、表示装置１０内部の記憶部１４などの記憶装置に記憶されている各種プログラムがＲＡＭを作業領域として実行されることにより実現される。例えば、この各種プログラムは、表示処理を行うアプリケーションのプログラムが含まれる。また、制御部１５は、コントローラであり、例えば、ＡＳＩＣ（Application  Specific  Integrated  Circuit）やＦＰＧＡ（Field  Programmable  Gate  Array）等の集積回路により実現される。
【００６６】
図３に示すように、制御部１５は、取得部１５１と、選択部１５２と、表示部１５３と、送信部１５４とを有し、以下に説明する表示処理の機能や作用を実現または実行する。なお、制御部１５の内部構成は、図３に示した構成に限られず、後述する表示処理を行う構成であれば他の構成であってもよい。また、制御部１５が有する各処理部の接続関係は、図３に示した接続関係に限られず、他の接続関係であってもよい。
【００６７】
（取得部１５１）
取得部１５１は、各種情報を取得する。例えば、取得部１５１は、アプリ情報記憶部１４１やユーザ情報記憶部１４２や行動情報記憶部１４３等から各種情報を取得する。また、取得部１５１は、各種情報を外部の情報処理装置から取得してもよい。例えば、取得部１５１は、サービス提供装置５０から各種情報を取得する。例えば、取得部１５１は、サービス提供装置５０から動画物アプリに関する各種情報を取得する。例えば、取得部１５１は、サービス提供装置５０から動画アプリＡのインストールに用いる情報や動画アプリＡのアップデートに用いる情報を取得する。例えば、取得部１５１は、サービス提供装置５０から動画アプリＡにおいて提供される動画等のコンテンツに関する各種情報を取得する。
【００６８】
例えば、取得部１５１は、入力部１２を介して、表示装置１０を利用するユーザによる各種操作の入力を取得する。例えば、取得部１５１は、表示装置１０を利用するユーザにより入力されたログインＩＤやパスワードに応じて、ユーザの動画アプリＡへのログイン情報を取得する。また、取得部１５１は、ユーザのリモコン等によるユーザ操作に応じて、ユーザによる再生する動画の指定や、フォーカスするサムネイルの指定を取得する。
【００６９】
例えば、取得部１５１は、サービス提供装置５０により選択された対象動画を示す情報をサービス提供装置５０から取得する。
【００７０】
（選択部１５２）
選択部１５２は、種々の情報を選択する。例えば、選択部１５２は、ユーザに関する情報に基づいて複数の動画コンテンツから対象動画を選択する。例えば、選択部１５２は、アプリ情報記憶部１４１に記憶された動画から対象動画を選択する。
【００７１】
例えば、選択部１５２は、アプリケーションにログインしているユーザであるログインユーザの有無に応じた異なる基準で対象動画を選択する。例えば、選択部１５２は、ログインユーザがいる場合、前記ログインユーザに関する情報に基づいて対象動画を選択する。例えば、選択部１５２は、ログインユーザの動画コンテンツの視聴履歴に基づいて対象動画を選択する。例えば、選択部１５２は、ログインユーザの属性情報に基づいて対象動画を選択する。例えば、選択部１５２は、ログインユーザがいない場合、前記アプリケーションにおける動画コンテンツの推奨に関する基準に基づいて対象動画を選択する。
【００７２】
図１の例では、選択部１５２は、動画アプリＡの起動に応じて、対象動画を選択する。例えば、選択部１５２は、ユーザＵ１に関する情報に基づいて、対象動画を選択する。例えば、選択部１５２は、ログインユーザであるユーザＵ１の動画の視聴履歴に基づいて、対象動画を選択する。例えば、選択部１５２は、ユーザＵ１の動画の視聴履歴に基づいて、対象動画を選択する。
【００７３】
例えば、選択部１５２は、図４中のアプリ情報記憶部１４１に示すような動画ＭＶ１１〜ＭＶ１５等のうち、ディスプレイＤＰに全画面表示で再生する対象動画を選択する。図１の例では、図４中のアプリ情報記憶部１４１に示すように動画ＭＶ１１のランキングが「１」位であるため、選択部１５２は、対象動画として動画ＭＶ１１を選択する。
【００７４】
なお、表示装置１０がサービス提供装置５０により提供される対象動画の情報に基づいて、対象動画を全画面表示させる場合、表示装置１０は選択部１５２を有しなくてもよい。例えば、表示システム１において、サービス提供装置５０が対象動画の選択を行う場合、表示装置１０は選択部１５２を有しなくてもよい。
【００７５】
（表示部１５３）
表示部１５３は、種々の情報を表示する。例えば、表示部１５３は、種々のコンテンツを表示する。例えば、表示部１５３は、種々の動画を再生する。例えば、表示部１５３は、デバイスＤＶのディスプレイＤＰに種々のコンテンツを表示する。例えば、表示部１５３は、デバイスＤＶのディスプレイＤＰにより種々の動画を再生する。例えば、表示部１５３は、通信部１１や出力部１３等を介して、デバイスＤＶに動画等のコンテンツを送信することにより、ディスプレイＤＰに種々のコンテンツを表示する。また、例えば、表示部１５３は、出力部１３にディスプレイが含まれる場合、出力部１３のディスプレイを介して各種情報を表示してもよい。例えば、表示部１５３は、アプリ情報記憶部１４１等の記憶部１４に記憶された各種情報を表示する。
【００７６】
例えば、表示部１５３は、複数の動画コンテンツを視聴可能なアプリケーションにおける動画コンテンツをディスプレイに表示する。表示部１５３は、ユーザに関する情報に基づいて複数の動画コンテンツから選択される対象動画コンテンツを、ディスプレイに全画面表示で再生する。
【００７７】
例えば、表示部１５３は、アプリケーションが起動されるタイミングで、ディスプレイにおける対象動画コンテンツを全画面表示で再生を開始する。例えば、表示部１５３は、アプリケーションにログインしているユーザであるログインユーザの有無に応じた異なる基準で選択される対象動画コンテンツを、ディスプレイに全画面表示する。
【００７８】
例えば、表示部１５３は、ログインユーザがいる場合、ログインユーザに関する情報に基づいて選択される対象動画コンテンツを、ディスプレイに全画面表示する。例えば、表示部１５３は、ログインユーザの動画コンテンツの視聴履歴に基づいて選択される対象動画コンテンツを、ディスプレイに全画面表示する。例えば、表示部１５３は、ログインユーザの属性情報に基づいて選択される対象動画コンテンツを、ディスプレイに全画面表示する。例えば、表示部１５３は、ログインユーザがいない場合、アプリケーションにおける動画コンテンツの推奨に関する基準に基づいて選択される対象動画コンテンツを、ディスプレイに全画面表示する。
【００７９】
例えば、表示部１５３は、対象動画コンテンツを含む複数の動画コンテンツの各々に対応する複数のサムネイルを対象動画コンテンツに重畳表示させる。例えば、表示部１５３は、複数のサムネイルの表示後、ユーザ操作が無い期間が所定の期間に達した場合、複数のサムネイルを非表示にする。例えば、表示部１５３は、複数のサムネイルの表示後、ユーザ操作が無い期間が所定の期間に達した場合、複数のサムネイルを非表示にする。例えば、表示部１５３は、対象動画コンテンツの視聴を指定するユーザ操作が受け付けられた場合、複数のサムネイルを非表示にする。
【００８０】
例えば、表示部１５３は、複数のサムネイルを所定の方向に並べて一覧表示する。例えば、表示部１５３は、ユーザ操作に応じて前記所定の方向の位置を変動可能に、複数のサムネイルを一覧表示する。例えば、表示部１５３は、複数のサムネイルをディスプレイの一端辺に沿わせて、対象動画コンテンツに重畳表示させる。例えば、表示部１５３は、複数のサムネイルを一端辺から所定の間隔を空けて、対象動画コンテンツに重畳表示させる。例えば、表示部１５３は、複数のサムネイルを所定の方向に沿う一端辺に沿わせて、対象動画コンテンツに重畳表示させる。例えば、表示部１５３は、複数のサムネイルをディスプレイの下端辺に沿わせて、対象動画コンテンツに重畳表示させる。
【００８１】
例えば、表示部１５３は、動画アプリＡに関する各種情報を判定する。例えば、表示部１５３は、アプリケーションにログインユーザが有るかどうかを判定する。例えば、表示部１５３は、動画アプリＡのログインユーザの有無を判定する。
【００８２】
図１の例では、表示部１５３は、動画ＭＶ１１を全画面表示する。例えば、表示部１５３は、動画ＭＶ１１をディスプレイＤＰに全画面再生する。例えば、表示部１５３は、全画面再生中の動画ＭＶ１１に重畳させて複数のサムネイルＴＮ１１〜ＴＮ１４を一覧表示する。例えば、表示部１５３は、図４中のアプリ情報記憶部１４１に示すランキングが「１」〜「４」までの動画ＭＶ１１〜ＭＶ１４の各々に対応するサムネイルＴＮ１１〜ＴＮ１４をディスプレイＤＰに一覧表示する。
【００８３】
図１の例では、表示部１５３は、ディスプレイＤＰの下端部側に動画ＭＶ１１に重畳させて横方向にサムネイルＴＮ１１〜ＴＮ１４を並べて一覧表示する。例えば、表示部１５３は、サムネイルＴＮ１１〜ＴＮ１４をディスプレイＤＰの下端部から所定の間隔を空けて、全画面再生中の動画ＭＶ１１に重畳表示させる。
【００８４】
（送信部１５４）
送信部１５４は、各種情報を送信する。例えば、送信部１５４は、サービス提供装置５０に各種情報を提供する。例えば、送信部１５４は、サービス提供装置５０に動画アプリＡに関する各種情報の要求を送信する。送信部１５４は、サービス提供装置５０にユーザに関する情報等を送信する。例えば、送信部１５４は、サービス提供装置５０にユーザの属性情報等を送信する。例えば、送信部１５４は、サービス提供装置５０に動画アプリＡのログインユーザに関する情報等を送信する。また、送信部１５４は、サービス提供装置５０に動画アプリＡにおけるユーザの行動情報等を送信する。例えば、送信部１５４は、サービス提供装置５０に動画アプリＡにおけるユーザのコンテンツ（動画）の視聴履歴等を送信する。例えば、送信部１５４は、入力部１２により入力されたユーザ操作に従って、外部の情報処理装置へ種々の情報を送信してもよい。
【００８５】
なお、上述した制御部１５による表示処理等の処理は、所定のアプリケーションにより行われる場合、制御部１５の各部は、例えば、所定のアプリケーションにより実現されてもよい。例えば、制御部１５による表示処理や表示処理等の処理は、ＪａｖａＳｃｒｉｐｔ（登録商標）などを含む制御情報により実現されてもよい。また、上述した表示処理や表示処理等が専用アプリにより行われる場合、制御部１５は、例えば、所定のアプリ（例えば動画アプリＡ等）や専用アプリを制御するアプリ制御部を有してもよい。例えば、表示処理を行う表示プログラムは、動画アプリＡに含まれてもよい。
【００８６】
〔４．表示処理のフロー〕
次に、図７を用いて、実施形態に係る表示装置１０による表示処理の手順について説明する。図７は、実施形態に係る表示処理を示すフローチャートである。
【００８７】
図７に示すように、表示装置１０は、アプリケーションが起動したことを示す情報を取得する（ステップＳ１０１）。例えば、表示装置１０は、リモコン等によるユーザの操作に応じて、動画アプリＡを起動し、ディスプレイＤＰに表示するように指示することを示す情報を取得する。
【００８８】
そして、表示装置１０は、アプリケーションにログインユーザが有るかどうかを判定する（ステップＳ１０２）。そして、表示装置１０は、起動した動画アプリＡにログインユーザがいる場合（ステップＳ１０２：Ｙｅｓ）、ログインユーザに関する情報に基づいて選択される対象コンテンツを、ディスプレイに全画面表示で再生する（ステップＳ１０３）。図１の例では、表示装置１０は、起動した動画アプリＡにログインユーザであるユーザＵ１がいるため、ユーザＵ１に関する情報に基づいて選択される対象コンテンツである動画ＭＶ１１を、ディスプレイＤＰに全画面表示で再生する。
【００８９】
一方、表示装置１０は、起動した動画アプリＡにログインユーザがいない場合（ステップＳ１０２：Ｎｏ）、コンテンツの推奨に関する基準に基づいて選択される対象コンテンツを、ディスプレイＤＰに全画面表示で再生する（ステップＳ１０４）。
【００９０】
〔５．ログインユーザ無しの場合〕
なお、上述した例では、ユーザＵ１が動画アプリＡのログインユーザである場合にユーザＵ１の情報に基づいて、対象動画が選択される場合を示したが、動画アプリＡにログインユーザがいない場合、他の基準に基づいて対象動画が選択されてもよい。この点について、図８を用いて説明する。図８は、アプリ情報記憶部の一例を示す図である。
【００９１】
図８に示すアプリ情報記憶部１４１Ａは、項目「ログインユーザ」が「−」、すなわち動画アプリＡにログインユーザがいない点において、図４に示すアプリ情報記憶部１４１と相違する。
【００９２】
例えば、表示装置１０は、ログインユーザがいない場合、アプリケーションにおける動画コンテンツの推奨に関する基準に基づいて対象動画を選択し、選択した対象動画をディスプレイＤＰに全画面表示する。図８の例では、アプリ情報記憶部１４１Ａに示すような動画ＭＶ２１〜ＭＶ２５等が、動画アプリＡにおいて推奨の度合いが高い動画である場合を示す。図８の例では、表示装置１０は、アプリ情報記憶部１４１Ａ中のランキングが「１」である動画ＭＶ２１を対象動画として選択する。
【００９３】
そして、表示装置１０は、動画ＭＶ２１を全画面表示する。例えば、表示装置１０は、図９に示すように、動画ＭＶ２１をディスプレイＤＰに全画面再生する。図９は、ディスプレイの表示の一例を示す図である。また、表示装置１０は、全画面再生中の動画ＭＶ２１に重畳させて複数のサムネイルＴＮ２１〜ＴＮ２５を一覧表示する。図８の例では、表示装置１０は、アプリ情報記憶部１４１Ａに示すランキングが「１」〜「５」までの動画ＭＶ２１〜ＭＶ２５の各々に対応するサムネイルＴＮ２１〜ＴＮ２５をディスプレイＤＰに一覧表示する。また、図９の例では、サムネイルＴＮ２１が他のサムネイルＴＮ２２〜ＴＮ２５よりも大きく表示されており、サムネイルＴＮ２１にフォーカスされていることを示す。
【００９４】
図９の例では、表示装置１０は、ディスプレイＤＰの下端部側に動画ＭＶ２１に重畳させて横方向にサムネイルＴＮ２１〜ＴＮ２５を並べて一覧表示する。また、表示装置１０は、サムネイルＴＮ２１〜ＴＮ２５をディスプレイＤＰの下端部から所定の間隔を空けて位置する領域ＡＲ１１に沿って、全画面再生中の動画ＭＶ１１に重畳表示させる。これにより、表示装置１０は、動画ＭＶ２１が全画面表示されていることをユーザが視認可能にしつつ、複数の動画ＭＶ２１〜ＭＶ２５の各々に対応するサムネイルＴＮ２１〜ＴＮ２５をユーザに提供することができる。
【００９５】
このように、表示装置１０は、動画アプリＡにログインユーザがいない場合は、ユーザの情報を用いることなく、他の基準を用いて選択された対象動画を全画面表示させる。これにより、表示装置１０は、ログインユーザがいない場合であっても、ユーザに応じたコンテンツを適切にユーザに提供可能にすることができる。
【００９６】
また、表示装置１０は、図９中のサムネイルＴＮ２５のように、サムネイルの一部を表示することにより、続きがあることをユーザに認識させることができる。これにより、表示装置１０は、ユーザに多数の推奨動画が有ることを認識させることができるため、ユーザが動画アプリＡを利用する動機づけを与えることができる。
【００９７】
〔６．表示の変更例〕
また、表示装置１０は、ユーザ操作に応じたサムネイルのフォーカスの変更に応じて、動画アプリＡの画面表示を変更してもよい。この点について、図１０及び図１１を用いて説明する。図１０及び図１１は、ディスプレイの表示の変更の一例を示す図である。
【００９８】
（６−１．横方向）
図１０の例では、表示装置１０は、動画ＭＶ３１を全画面表示する。例えば、表示装置１０は、図１０に示すように、動画ＭＶ３１をディスプレイＤＰに全画面再生する。また、表示装置１０は、全画面再生中の動画ＭＶ３１に重畳させて複数のサムネイルＴＮ３１〜ＴＮ３５を一覧表示する。また、図１０の例では、ステップＳ３１においてフォーカス移動前のディスプレイＤＰにおいては、サムネイルＴＮ３１が他のサムネイルＴＮ３２〜ＴＮ３５よりも大きく表示されており、サムネイルＴＮ３１にフォーカスされていることを示す。図１０の例では、フォーカスに応じたサムネイル表示の変動を示すため、ディスプレイに表示されないサムネイルを含む、サムネイルＴＮ３１〜ＴＮ３７を図示する。
【００９９】
図１０の例では、表示装置１０は、ディスプレイＤＰの下端部側に動画ＭＶ３１に重畳させて横方向にサムネイルＴＮ３１〜ＴＮ３５を並べて一覧表示する。また、表示装置１０は、サムネイルＴＮ３１〜ＴＮ３５をディスプレイＤＰの下端部から所定の間隔を空けて位置する領域ＡＲ１１に沿って、全画面再生中の動画ＭＶ１１に重畳表示させる。
【０１００】
ここで、図１０の例では、表示装置１０は、ユーザの操作に応じてフォーカスをサムネイルＴＮ３５に移動させる（ステップＳ３１）。これにより、サムネイルＴＮ３５が他のサムネイルＴＮ３１〜ＴＮ３４よりも大きく表示されており、サムネイルＴＮ３５にフォーカスされていることを示す。また、図１０の例では、サムネイルＴＮ３５の右側にサムネイルＴＮ３６の一部が表示されることにより、サムネイルＴＮ３５の後にも続きのサムネイル（図１０ではサムネイルＴＮ３６、ＴＮ３７等）があることをユーザに認識させることができる。これにより、表示装置１０は、ユーザに多数の推奨動画が有ることを認識させることができるため、ユーザが動画アプリＡを利用する動機づけを与えることができる。なお、表示装置１０は、ディスプレイＤＰの下端部に限らず、ディスプレイＤＰの上端部や右端部や左端部等の他の端部に沿わせて、複数のサムネイルを一覧表示してもよい。例えば、表示装置１０は、ディスプレイＤＰの右端部または左端部に沿わせて、複数のサムネイルを一覧表示する場合、ユーザ操作に応じてサムネイルの表示を上下方向に変更可能に表示してもよい。
【０１０１】
（６−２．縦方向）
図１１の例では、表示装置１０は、動画ＭＶ４１を全画面表示する。例えば、表示装置１０は、図１１に示すように、動画ＭＶ４１をディスプレイＤＰに全画面再生する。また、表示装置１０は、全画面再生中の動画ＭＶ４１に重畳させて複数のサムネイルＴＮ４１〜ＴＮ４５を一覧表示する。また、図１１の例では、ステップＳ４１においてフォーカス移動前のディスプレイＤＰにおいては、サムネイルＴＮ４１が他のサムネイルＴＮ４２〜ＴＮ４５よりも大きく表示されており、サムネイルＴＮ４１にフォーカスされていることを示す。図１１の例では、フォーカスに応じたサムネイル表示の変動を示すため、ディスプレイに表示されないサムネイルを含む、サムネイルＴＮ４１〜ＴＮ４７、ＴＮ５１〜ＴＮ５７、ＴＮ６１〜ＴＮ６７、ＴＮ７１〜ＴＮ７７を図示する。
【０１０２】
図１１の例では、表示装置１０は、ディスプレイＤＰの下端部側に動画ＭＶ４１に重畳させて横方向にサムネイルＴＮ４１〜ＴＮ４５を並べて一覧表示するとともに、サムネイルＴＮ４１〜ＴＮ４５に上下方向に並べて、サムネイルＴＮ５１〜ＴＮ５５の一部を表示する。図１１の例では、表示装置１０は、サムネイルＴＮ４１〜ＴＮ４５の下方向に並べて、サムネイルＴＮ５１〜ＴＮ５５の一部を表示する。
【０１０３】
ここで、図１１の例では、表示装置１０は、ユーザの操作に応じてフォーカスをサムネイルＴＮ５１に移動させる（ステップＳ４１）。そして、図１１の例では、サムネイルＴＮ５１〜ＴＮ５５が上方向に移動し、サムネイルＴＮ４１〜ＴＮ４５が非表示になる。このように、フォーカスされているサムネイルＴＮ５１がサムネイル表示部分（図１１のディスプレイＤＰ中の点線より下部）の左上に位置するように表示が変更される。
【０１０４】
また、サムネイルＴＮ５１が他のサムネイルＴＮ５２〜ＴＮ５５よりも大きく表示されており、サムネイルＴＮ５１にフォーカスされていることを示す。また、図１１の例では、表示装置１０は、サムネイルＴＮ５１〜ＴＮ５５の下方向に並べて、サムネイルＴＮ６１〜ＴＮ６５の一部を表示する。これにより、表示装置１０は、ユーザに多数の推奨動画が有ることを認識させることができるため、ユーザが動画アプリＡを利用する動機づけを与えることができる。
【０１０５】
〔７．効果〕
上述してきたように、実施形態に係る表示装置１０は、複数の動画コンテンツを視聴可能なアプリケーションにおける動画コンテンツをディスプレイに表示する表示部１５３を有する。表示部１５３は、ユーザに関する情報に基づいて複数の動画コンテンツから選択される対象動画コンテンツを、ディスプレイに全画面表示で再生する。
【０１０６】
このように、実施形態に係る表示装置１０は、ユーザに関する情報に基づいて複数の動画コンテンツから選択される対象動画コンテンツを、ディスプレイに全画面表示で再生することにより、ユーザに応じたコンテンツを適切にユーザに提供可能にすることができる。
【０１０７】
また、実施形態に係る表示装置１０において、表示部１５３は、アプリケーションが起動されるタイミングで、ディスプレイにおける対象動画コンテンツを全画面表示で再生を開始する。
【０１０８】
このように、実施形態に係る表示装置１０は、アプリケーションが起動されるタイミングで、ディスプレイにおける対象動画コンテンツを全画面表示で再生を開始することにより、ユーザに応じたコンテンツを適切にユーザに提供可能にすることができる。
【０１０９】
また、実施形態に係る表示装置１０において、表示部１５３は、アプリケーションにログインしているユーザであるログインユーザの有無に応じた異なる基準で選択される対象動画コンテンツを、ディスプレイに全画面表示する。
【０１１０】
このように、実施形態に係る表示装置１０は、アプリケーションにログインしているユーザであるログインユーザの有無に応じた異なる基準で選択される対象動画コンテンツを、ディスプレイに全画面表示することにより、ユーザに応じたコンテンツを適切にユーザに提供可能にすることができる。
【０１１１】
また、実施形態に係る表示装置１０において、表示部１５３は、ログインユーザがいる場合、ログインユーザに関する情報に基づいて選択される対象動画コンテンツを、ディスプレイに全画面表示する。
【０１１２】
このように、実施形態に係る表示装置１０は、ログインユーザがいる場合、ログインユーザに関する情報に基づいて選択される対象動画コンテンツを、ディスプレイに全画面表示することにより、ユーザに応じたコンテンツを適切にユーザに提供可能にすることができる。
【０１１３】
また、実施形態に係る表示装置１０において、表示部１５３は、ログインユーザの動画コンテンツの視聴履歴に基づいて選択される対象動画コンテンツを、ディスプレイに全画面表示する。
【０１１４】
このように、実施形態に係る表示装置１０は、ログインユーザの動画コンテンツの視聴履歴に基づいて選択される対象動画コンテンツを、ディスプレイに全画面表示することにより、ユーザに応じたコンテンツを適切にユーザに提供可能にすることができる。
【０１１５】
また、実施形態に係る表示装置１０において、表示部１５３は、ログインユーザの属性情報に基づいて選択される対象動画コンテンツを、ディスプレイに全画面表示する。
【０１１６】
このように、実施形態に係る表示装置１０は、ログインユーザの属性情報に基づいて選択される対象動画コンテンツを、ディスプレイに全画面表示することにより、ユーザに応じたコンテンツを適切にユーザに提供可能にすることができる。
【０１１７】
また、実施形態に係る表示装置１０において、表示部１５３は、ログインユーザがいない場合、アプリケーションにおける動画コンテンツの推奨に関する基準に基づいて選択される対象動画コンテンツを、ディスプレイに全画面表示する。
【０１１８】
このように、実施形態に係る表示装置１０は、ログインユーザがいない場合、アプリケーションにおける動画コンテンツの推奨に関する基準に基づいて選択される対象動画コンテンツを、ディスプレイに全画面表示することにより、ユーザに応じたコンテンツを適切にユーザに提供可能にすることができる。
【０１１９】
また、実施形態に係る表示装置１０において、表示部１５３は、対象動画コンテンツを含む複数の動画コンテンツの各々に対応する複数のサムネイルを対象動画コンテンツに重畳表示させる。
【０１２０】
このように、実施形態に係る表示装置１０は、対象動画コンテンツを含む複数の動画コンテンツの各々に対応する複数のサムネイルを対象動画コンテンツに重畳表示させることにより、ユーザに応じたコンテンツを適切にユーザに提供可能にすることができる。
【０１２１】
また、実施形態に係る表示装置１０において、表示部１５３は、複数のサムネイルの表示後、ユーザ操作が無い期間が所定の期間に達した場合、複数のサムネイルを非表示にする。
【０１２２】
このように、実施形態に係る表示装置１０は、複数のサムネイルの表示後、ユーザ操作が無い期間が所定の期間に達した場合、複数のサムネイルを非表示にすることにより、ユーザに応じたコンテンツを適切にユーザに提供可能にすることができる。
【０１２３】
また、実施形態に係る表示装置１０において、表示部１５３は、複数のサムネイルの表示後、ユーザ操作が無い期間が所定の期間に達した場合、複数のサムネイルを非表示にする。
【０１２４】
このように、実施形態に係る表示装置１０は、複数のサムネイルの表示後、ユーザ操作が無い期間が所定の期間に達した場合、複数のサムネイルを非表示にすることにより、ユーザに応じたコンテンツを適切にユーザに提供可能にすることができる。
【０１２５】
また、実施形態に係る表示装置１０において、表示部１５３は、対象動画コンテンツの視聴を指定するユーザ操作が受け付けられた場合、複数のサムネイルを非表示にする。
【０１２６】
このように、実施形態に係る表示装置１０は、対象動画コンテンツの視聴を指定するユーザ操作が受け付けられた場合、複数のサムネイルを非表示にすることにより、ユーザに応じたコンテンツを適切にユーザに提供可能にすることができる。
【０１２７】
また、実施形態に係る表示装置１０において、表示部１５３は、複数のサムネイルを所定の方向に並べて一覧表示する。
【０１２８】
このように、実施形態に係る表示装置１０は、複数のサムネイルを所定の方向に並べて一覧表示することにより、ユーザに応じたコンテンツを適切にユーザに提供可能にすることができる。
【０１２９】
また、実施形態に係る表示装置１０において、表示部１５３は、ユーザ操作に応じて前記所定の方向の位置を変動可能に、複数のサムネイルを一覧表示する。
【０１３０】
このように、実施形態に係る表示装置１０は、ユーザ操作に応じて前記所定の方向の位置を変動可能に、複数のサムネイルを一覧表示することにより、ユーザに応じたコンテンツを適切にユーザに提供可能にすることができる。
【０１３１】
また、実施形態に係る表示装置１０において、表示部１５３は、複数のサムネイルをディスプレイの一端辺に沿わせて、対象動画コンテンツに重畳表示させる。
【０１３２】
このように、実施形態に係る表示装置１０は、複数のサムネイルをディスプレイの一端辺に沿わせて、対象動画コンテンツに重畳表示させることにより、ユーザに応じたコンテンツを適切にユーザに提供可能にすることができる。
【０１３３】
また、実施形態に係る表示装置１０において、表示部１５３は、複数のサムネイルを一端辺から所定の間隔を空けて、対象動画コンテンツに重畳表示させる。
【０１３４】
このように、実施形態に係る表示装置１０は、複数のサムネイルを一端辺から所定の間隔を空けて、対象動画コンテンツに重畳表示させることにより、ユーザに応じたコンテンツを適切にユーザに提供可能にすることができる。
【０１３５】
また、実施形態に係る表示装置１０において、表示部１５３は、複数のサムネイルを所定の方向に沿う一端辺に沿わせて、対象動画コンテンツに重畳表示させる。
【０１３６】
このように、実施形態に係る表示装置１０は、複数のサムネイルを所定の方向に沿う一端辺に沿わせて、対象動画コンテンツに重畳表示させることにより、ユーザに応じたコンテンツを適切にユーザに提供可能にすることができる。
【０１３７】
また、実施形態に係る表示装置１０において、表示部１５３は、複数のサムネイルをディスプレイの下端辺に沿わせて、対象動画コンテンツに重畳表示させる。
【０１３８】
このように、実施形態に係る表示装置１０は、複数のサムネイルをディスプレイの下端辺に沿わせて、対象動画コンテンツに重畳表示させることにより、ユーザに応じたコンテンツを適切にユーザに提供可能にすることができる。
【０１３９】
〔８．プログラム〕
上述してきた表示装置１０やサービス提供装置５０による処理は、本願に係る表示プログラムにより実現される。例えば、表示装置１０に係る表示部１５３は、表示装置１０が有するＣＰＵやＭＰＵ等によって、例えば動画アプリＡ等に含まれる表示プログラムがＲＡＭを作業領域として、表示プログラムに係る表示手順が実行されることにより実現される。表示装置１０に係る他の処理部も同様に、表示プログラムによる各手順が実行されることにより実現される。
【０１４０】
なお、本願に係る表示装置１０やサービス提供装置５０が実行する処理は、必ずしも全てが表示プログラムによって実現されるものでなくてもよい。例えば、表示装置１０外の情報等は、表示装置１０が有するＯＳ（Operating  System）によって取得されてもよい。すなわち、表示プログラム自体が、上述してきたような表示装置１０で実行される処理を実行するのではなく、ＯＳによって取得されたデータ（例えば、アプリ情報等を表示するために用いるデータ）を受け取ったりすることにより、上述してきた表示装置１０の処理を実現するようにしてもよい。
【０１４１】
〔９．ハードウェア構成〕
上述してきた実施形態に係る表示装置１０は、例えば図１２に示すような構成のコンピュータ１０００によって実現される。図１２は、表示装置の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１４２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４３】
ＨＤＤ１４００は、ＣＰＵ１１００によって実行されるプログラム、及び、かかるプログラムによって使用されるデータ等を格納する。通信インターフェイス１５００は、所定のネットワークＮを介して他の機器からデータを受信してＣＰＵ１１００へ送り、ＣＰＵ１１００が生成したデータを所定のネットワークＮを介して他の機器へ送信する。
【０１４４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１４５】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４６】
例えば、コンピュータ１０００が実施形態に係る表示装置１０として機能する場合、コンピュータ１０００のＣＰＵ１１００は、ＲＡＭ１２００上にロードされたプログラムを実行することにより、制御部１５の機能を実現する。コンピュータ１０００のＣＰＵ１１００は、これらのプログラムを記録媒体１８００から読み取って実行するが、他の例として、他の装置から所定のネットワークＮを介してこれらのプログラムを取得してもよい。
【０１４７】
以上、本願の実施形態を図面に基づいて詳細に説明したが、これらは例示であり、発明の開示の行に記載の態様を始めとして、当業者の知識に基づいて種々の変形、改良を施した他の形態で本発明を実施することが可能である。
【０１４８】
〔１０．その他〕
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５０】
また、上述してきた各実施形態に記載された各処理は、処理内容を矛盾させない範囲で適宜組み合わせることが可能である。
【０１５１】
また、上述してきた「部（section、module、unit）」は、「手段」や「回路」などに読み替えることができる。例えば、取得部は、取得手段や取得回路に読み替えることができる。
【符号の説明】
【０１５２】
１      表示システム
１０    表示装置
１４１  アプリ情報記憶部
１４２  ユーザ情報記憶部
１４３  行動情報記憶部
１５    制御部
１５１  取得部
１５２  選択部
１５３  表示部
１５４  送信部
５０    サービス提供装置
Ｎ      ネットワーク
【図１】
2019022124.tif 000003
【図２】
2019022124.tif 000004
【図３】
2019022124.tif 000005
【図４】
2019022124.tif 000006
【図５】
2019022124.tif 000007
【図６】
2019022124.tif 000008
【図７】
2019022124.tif 000009
【図８】
2019022124.tif 000010
【図９】
2019022124.tif 000011
【図１０】
2019022124.tif 000012
【図１１】
2019022124.tif 000013
【図１２】
2019022124.tif 000014
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
コンピュータにより実行され、複数の動画コンテンツを視聴可能なアプリケーションにおける動画コンテンツをディスプレイに表示する表示プログラムであって、
前記アプリケーションが起動されるタイミングで、ユーザに関する情報に基づいて前記複数の動画コンテンツから選択される対象動画コンテンツを、前記ディスプレイに全画面表示で再生する表示手順、
をコンピュータに実行させることを特徴とする表示プログラム。
【請求項２】
前記表示手順は、
前記アプリケーションにログインしているユーザであるログインユーザの有無に応じた異なる基準で選択される対象動画コンテンツを、前記ディスプレイに全画面表示する
ことを特徴とする請求項１に記載の表示プログラム。
【請求項３】
前記表示手順は、
前記ログインユーザがいる場合、前記ログインユーザに関する情報に基づいて選択される対象動画コンテンツを、前記ディスプレイに全画面表示する
ことを特徴とする請求項２に記載の表示プログラム。
【請求項４】
前記表示手順は、
前記ログインユーザの動画コンテンツの視聴履歴に基づいて選択される対象動画コンテンツを、前記ディスプレイに全画面表示する
ことを特徴とする請求項３に記載の表示プログラム。
【請求項５】
前記表示手順は、
前記ログインユーザの属性情報に基づいて選択される対象動画コンテンツを、前記ディスプレイに全画面表示する
ことを特徴とする請求項３または請求項４に記載の表示プログラム。
【請求項６】
前記表示手順は、
前記ログインユーザがいない場合、前記アプリケーションにおける動画コンテンツの推奨に関する基準に基づいて選択される対象動画コンテンツを、前記ディスプレイに全画面表示する
ことを特徴とする請求項２〜５のいずれか１項に記載の表示プログラム。
【請求項７】
前記表示手順は、
前記対象動画コンテンツを含む複数の動画コンテンツの各々に対応する複数のサムネイルを前記対象動画コンテンツに重畳表示させる
ことを特徴とする請求項１〜６のいずれか１項に記載の表示プログラム。
【請求項８】
前記表示手順は、
前記複数のサムネイルの表示後、ユーザ操作が無い期間が所定の期間に達した場合、前記複数のサムネイルを非表示にする
ことを特徴とする請求項７に記載の表示プログラム。
【請求項９】
前記表示手順は、
前記対象動画コンテンツの視聴を指定するユーザ操作が受け付けられた場合、前記複数のサムネイルを非表示にする
ことを特徴とする請求項７または請求項８に記載の表示プログラム。
【請求項１０】
前記表示手順は、
前記複数のサムネイルを所定の方向に並べて一覧表示する
ことを特徴とする請求項７〜９のいずれか１項に記載の表示プログラム。
【請求項１１】
前記表示手順は、
ユーザ操作に応じて前記所定の方向の位置を変動可能に、前記複数のサムネイルを一覧表示する
ことを特徴とする請求項１０に記載の表示プログラム。
【請求項１２】
前記表示手順は、
前記複数のサムネイルを前記ディスプレイの一端辺に沿わせて、前記対象動画コンテンツに重畳表示させる
ことを特徴とする請求項１０または請求項１１に記載の表示プログラム。
【請求項１３】
前記表示手順は、
前記複数のサムネイルを前記一端辺から所定の間隔を空けて、前記対象動画コンテンツに重畳表示させる
ことを特徴とする請求項１２に記載の表示プログラム。
【請求項１４】
前記表示手順は、
前記複数のサムネイルを前記所定の方向に沿う前記一端辺に沿わせて、前記対象動画コンテンツに重畳表示させる
ことを特徴とする請求項１２または請求項１３に記載の表示プログラム。
【請求項１５】
前記表示手順は、
前記複数のサムネイルを前記ディスプレイの下端辺に沿わせて、前記対象動画コンテンツに重畳表示させる
ことを特徴とする請求項１２〜１４のいずれか１項に記載の表示プログラム。
【請求項１６】
コンピュータにより実行され、複数の動画コンテンツを視聴可能なアプリケーションにおける動画コンテンツをディスプレイに表示する表示方法であって、
前記アプリケーションが起動されるタイミングで、ユーザに関する情報に基づいて前記複数の動画コンテンツから選択される対象動画コンテンツを、前記ディスプレイに全画面表示で再生する表示工程、
を含むことを特徴とする表示方法。
【請求項１７】
複数の動画コンテンツを視聴可能なアプリケーションにおける動画コンテンツをディスプレイに表示する表示装置であって、
前記アプリケーションが起動されるタイミングで、ユーザに関する情報に基づいて前記複数の動画コンテンツから選択される対象動画コンテンツを、前記ディスプレイに全画面表示で再生する表示部、
を備えることを特徴とする表示装置。
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
コンピュータにより実行され、複数の動画コンテンツを視聴可能なアプリケーションにおける動画コンテンツをディスプレイに表示する表示プログラムであって、
前記アプリケーションが起動されるタイミングで、ユーザに関する情報に基づいて前記複数の動画コンテンツから選択される対象動画コンテンツを、前記対象動画コンテンツを含む複数の動画コンテンツの各々に対応する複数のサムネイルであって、前記対象動画コンテンツに対応するサムネイルに前記対象動画コンテンツを特定する文字列を重畳表示させたサムネイルを含む複数のサムネイルを前記対象動画コンテンツに重畳表示させつつ、前記ディスプレイに全画面表示で再生を開始する表示手順、
をコンピュータに実行させることを特徴とする表示プログラム。
【請求項２】
前記表示手順は、
前記アプリケーションにログインしているユーザであるログインユーザの有無に応じた異なる基準で選択される対象動画コンテンツを、前記ディスプレイに全画面表示する
ことを特徴とする請求項１に記載の表示プログラム。
【請求項３】
前記表示手順は、
前記ログインユーザがいる場合、前記ログインユーザに関する情報に基づいて選択される対象動画コンテンツを、前記ディスプレイに全画面表示する
ことを特徴とする請求項２に記載の表示プログラム。
【請求項４】
前記表示手順は、
前記ログインユーザの動画コンテンツの視聴履歴に基づいて選択される対象動画コンテンツを、前記ディスプレイに全画面表示する
ことを特徴とする請求項３に記載の表示プログラム。
【請求項５】
前記表示手順は、
前記ログインユーザの属性情報に基づいて選択される対象動画コンテンツを、前記ディスプレイに全画面表示する
ことを特徴とする請求項３または請求項４に記載の表示プログラム。
【請求項６】
前記表示手順は、
前記ログインユーザがいない場合、前記アプリケーションにおける動画コンテンツの推奨に関する基準に基づいて選択される対象動画コンテンツを、前記ディスプレイに全画面表示する
ことを特徴とする請求項２〜５のいずれか１項に記載の表示プログラム。
【請求項７】
前記表示手順は、
前記複数のサムネイルの表示後、ユーザ操作が無い期間が所定の期間に達した場合、前記複数のサムネイルを非表示にする
ことを特徴とする請求項１に記載の表示プログラム。
【請求項８】
前記表示手順は、
前記対象動画コンテンツの視聴を指定するユーザ操作が受け付けられた場合、前記複数のサムネイルを非表示にする
ことを特徴とする請求項１または請求項７に記載の表示プログラム。
【請求項９】
前記表示手順は、
前記複数のサムネイルを所定の方向に並べて一覧表示する
ことを特徴とする請求項１、７または請求項８に記載の表示プログラム。
【請求項１０】
前記表示手順は、
ユーザ操作に応じて前記所定の方向の位置を変動可能に、前記複数のサムネイルを一覧表示する
ことを特徴とする請求項９に記載の表示プログラム。
【請求項１１】
前記表示手順は、
前記複数のサムネイルを前記ディスプレイの一端辺に沿わせて、前記対象動画コンテンツに重畳表示させる
ことを特徴とする請求項９または請求項１０に記載の表示プログラム。
【請求項１２】
前記表示手順は、
前記複数のサムネイルを前記一端辺から所定の間隔を空けて、前記対象動画コンテンツに重畳表示させる
ことを特徴とする請求項１１に記載の表示プログラム。
【請求項１３】
前記表示手順は、
前記複数のサムネイルを前記所定の方向に沿う前記一端辺に沿わせて、前記対象動画コンテンツに重畳表示させる
ことを特徴とする請求項１１または請求項１２に記載の表示プログラム。
【請求項１４】
前記表示手順は、
前記複数のサムネイルを前記ディスプレイの下端辺に沿わせて、前記対象動画コンテンツに重畳表示させる
ことを特徴とする請求項１１〜１３のいずれか１項に記載の表示プログラム。
【請求項１５】
コンピュータにより実行され、複数の動画コンテンツを視聴可能なアプリケーションにおける動画コンテンツをディスプレイに表示する表示方法であって、
前記アプリケーションが起動されるタイミングで、ユーザに関する情報に基づいて前記複数の動画コンテンツから選択される対象動画コンテンツを、前記対象動画コンテンツを含む複数の動画コンテンツの各々に対応する複数のサムネイルであって、前記対象動画コンテンツに対応するサムネイルに前記対象動画コンテンツを特定する文字列を重畳表示させたサムネイルを含む複数のサムネイルを前記対象動画コンテンツに重畳表示させつつ、前記ディスプレイに全画面表示で再生を開始する表示工程、
を含むことを特徴とする表示方法。
【請求項１６】
複数の動画コンテンツを視聴可能なアプリケーションにおける動画コンテンツをディスプレイに表示する表示装置であって、
前記アプリケーションが起動されるタイミングで、ユーザに関する情報に基づいて前記複数の動画コンテンツから選択される対象動画コンテンツを、前記対象動画コンテンツを含む複数の動画コンテンツの各々に対応する複数のサムネイルであって、前記対象動画コンテンツに対応するサムネイルに前記対象動画コンテンツを特定する文字列を重畳表示させたサムネイルを含む複数のサムネイルを前記対象動画コンテンツに重畳表示させつつ、前記ディスプレイに全画面表示で再生を開始する表示部、
を備えることを特徴とする表示装置。